(57)【要約】      （修正有）【課題】ＳＮＳを利用したキャンペーンにおいて、インフルエンサーからの発言を受ける一般会員からもキャンペーンに関する発言を引き出すことによって大きな口コミを生じさせる。【解決手段】キャンペーン用アプリケーション画面をへのアクセスを許容するステップ（１００、１１１）と、ＳＮＳ会員のログインを受け付けて予め定めた資格条件を満たすか否かを判定するステップ（１０２、１０３）と、該ＳＮＳ会員を対象者を指定した所定数の特典の配布が行える特典配布権利者に認定するステップ（１０４、１０５）と、ＳＮＳ会員のログインを受け付けて所定の基準に基づいて該ＳＮＳ会員が前記配布の対象者であるか否かを判定するステップ（１０７、１０８）と、前記配布の対象者であると判定されたＳＮＳ会員による所定操作を受け付けて、該ＳＮＳ会員に特典を発行するステップ（１０９、１１０）とを備える。【選択図】図１
2014038547.tif 000002
【特許請求の範囲】
【請求項１】
ＳＮＳ（ソーシャルネットワーキングサービス）内で、一部の会員にキャンペーン特典を配布するキャンペーンの方法において、
キャンペーン用アプリケーション画面を表示して該画面へのアクセスを許容するステップと、
ＳＮＳ会員のログインを受け付けて該ＳＮＳ会員が予め定めた資格条件を満たすか否かを判定するステップと、
前記資格条件を満たすと判定されたＳＮＳ会員による同意操作を受け付けて、該ＳＮＳ会員を、対象者を指定した所定数の特典の配布が行える特典配布権利者に認定するステップと、
ＳＮＳ会員のログインを受け付けて所定の基準に基づいて該ＳＮＳ会員が前記配布の対象者であるか否かを判定するステップと、
前記配布の対象者であると判定されたＳＮＳ会員による所定操作を受け付けて、該ＳＮＳ会員に特典を発行するステップとを備える、ＳＮＳに提携したキャンペーン特典配布方法。
【請求項２】
請求項１に記載のＳＮＳに提携したキャンペーン特典配布方法において、
前記資格条件は、ＳＮＳ会員の活動を監視して算出される評価値を基準として決定する、ＳＮＳに提携したキャンペーン特典配布方法。
【請求項３】
請求項２に記載のＳＮＳに提携したキャンペーン特典配布方法において、
前記評価値は、ＳＮＳ会員の他のＳＮＳ会員に対する発言影響力を評価した値である、ＳＮＳに提携したキャンペーン特典配布方法。
【請求項４】
請求項１〜３のいずれかに記載のＳＮＳに提携したキャンペーン特典配布方法において、
前記特典配布権利者に対して、特典の発行を受けるために必要な鍵情報を発行し、
前記特典配布権利者が、前記配布の対象者とすべきＳＮＳ会員に該鍵情報を通知することを許容する、ＳＮＳに提携したキャンペーン特典配布方法。
【請求項５】
請求項１〜３のいずれかに記載のＳＮＳに提携したキャンペーン特典配布方法において、
特典の配布対象者リストを保存しており、
前記特典配布権利者が、前記配布の対象者とすべきＳＮＳ会員を該配布対象者リストに登録することを許容する、ＳＮＳに提携したキャンペーン特典配布方法。
【請求項６】
請求項１〜５のいずれかに記載のＳＮＳに提携したキャンペーン特典配布方法において、
前記配布の対象者であると判定されたＳＮＳ会員が、自らの特典取得についてＳＮＳ内で発言することを条件として、前記特典を発行する、ＳＮＳに提携したキャンペーン特典配布方法。
【請求項７】
請求項１〜６のいずれかに記載のＳＮＳに提携したキャンペーン特典配布方法において、
前記資格条件を満たすと判定されたＳＮＳ会員が、自らの特典配布についてＳＮＳ内で発言することを条件として、前記特典配布権利者に認定する、ＳＮＳに提携したキャンペーン特典配布方法。
【請求項８】
請求項１〜７のいずれかに記載のＳＮＳに提携したキャンペーン特典配布方法において、
前記資格条件を満たしている有資格者リストを表示し、前記資格条件を満たいていないＳＮＳ会員から、前記資格条件を満たしているＳＮＳ会員への特典おねだり発言を支援するステップを更に備えることを特徴とする、ＳＮＳに提携したキャンペーン特典配布方法。
【請求項９】
請求項１〜８のいずれかに記載のＳＮＳに提携したキャンペーン特典配布方法において、
前記特典配布権利者に所定の報酬を発行するステップを更に備える、ＳＮＳに提携したキャンペーン特典配布方法。
【請求項１０】
請求項１〜９のいずれかに記載のＳＮＳに提携したキャンペーン特典配布方法において、
前記アプリケーション画面をＳＮＳの外部に生成し、該画面の閲覧者のログイン情報をＳＮＳと通信して取得する、ＳＮＳに提携したキャンペーン特典配布方法。
【請求項１１】
ＳＮＳ内で、一部の会員にキャンペーン特典を配布するＳＮＳに提携したキャンペーン特典配布システムにおいて、
特典配布権利者の資格条件を決定する条件設定部と、
アプリケーション画面を表示して該画面のアクセスを許容するインタフェース部と、
ＳＮＳ会員のログインを受け付けて該ＳＮＳ会員が予め定めた資格条件を満たすか否かを判定し、前記資格条件を満たすと判定されたＳＮＳ会員による同意操作を受け付けて、該ＳＮＳ会員を、対象者を指定した所定数の特典の配布が行える特典配布権利者に認定する特典配布権利者認定部と、
ＳＮＳ会員のログインを受け付けて所定基準に基づいて該ＮＳ会員が前記配布の対象者であるか否かを判定し、前記配布の対象者であると判定されたＳＮＳ会員による所定操作を受け付けて、該ＳＮＳ会員に特典を発行する特典発行部とを備える、ＳＮＳに提携したキャンペーン特典配布システム。
【請求項１２】
請求項１１に記載のＳＮＳに提携したキャンペーン特典配布システムにおいて、
前記資格条件は、ＳＮＳ会員の活動を監視して算出される評価値に対する閾値として決定する、ＳＮＳに提携したキャンペーン特典配布システム。
【請求項１３】
請求項１２に記載のＳＮＳに提携したキャンペーン特典配布システムにおいて、
前記評価値は、ＳＮＳ会員の他のＳＮＳ会員に対する発言影響力を評価した値である、ＳＮＳに提携したキャンペーン特典配布システム。
【請求項１４】
請求項１１〜１３のいずれかに記載のＳＮＳに提携したキャンペーン特典配布システムにおいて、
前記特典配布権利者に対して、特典の発行を受けるために必要な鍵情報を発行し、
前記特典配布権利者が、前記配布の対象者とすべきＳＮＳ会員に該鍵情報を通知することを許容する、ＳＮＳに提携したキャンペーン特典配布システム。
【請求項１５】
請求項１１〜１４のいずれかに記載のＳＮＳに提携したキャンペーン特典配布システムにおいて、
特典の配布対象者リストを保存しており、
前記特典配布権利者が、前記配布の対象者とすべきＳＮＳ会員を該配布対象者リストに登録することを許容する、ＳＮＳに提携したキャンペーン特典配布システム。
【請求項１６】
請求項１１〜１５のいずれかに記載のＳＮＳに提携したキャンペーン特典配布システムにおいて、
前記配布の対象者であると判定されたＳＮＳ会員が、自らの特典取得についてＳＮＳ内で発言することを条件として、前記特典を発行する、ＳＮＳに提携したキャンペーン特典配布システム。
【請求項１７】
請求項１１〜１６のいずれかに記載のＳＮＳに提携したキャンペーン特典配布システムにおいて、
前記資格条件を満たすと判定されたＳＮＳ会員が、自らの特典配布についてＳＮＳ内で発言することを条件として、前記特典配布権利者に認定する、ＳＮＳに提携したキャンペーン特典配布システム。
【請求項１８】
請求項１１〜１７のいずれかに記載のＳＮＳに提携したキャンペーン特典配布システムにおいて、
前記資格条件を満たしている有資格者リストを表示し、前記資格条件を満たいていないＳＮＳ会員から、前記資格条件を満たしているＳＮＳ会員への特典おねだり発言を支援するおねだり発言支援部を更に備えることを特徴とする、ＳＮＳに提携したキャンペーン特典配布システム。
【請求項１９】
請求項１１〜１８のいずれかに記載のＳＮＳに提携したキャンペーン特典配布システムにおいて、
前記特典配布権利者に所定の報酬を発行する報酬発行部を更に備える、ＳＮＳに提携したキャンペーン特典配布システム。
【請求項２０】
請求項１１〜１９のいずれかに記載のＳＮＳに提携したキャンペーン特典配布システムにおいて、
前記アプリケーション画面をＳＮＳの外部に生成し、該画面の閲覧者のログイン情報をＳＮＳと通信して取得する、ＳＮＳに提携したキャンペーン特典配布システム。
【請求項２１】
請求項１１〜２０のいずれかに記載のＳＮＳに提携したキャンペーン特典配布システムを稼働させるためのプログラムが蓄積されている、ウェブサーバ装置。
【発明の詳細な説明】
【技術分野】
【０００１】
本発明は、ＳＮＳ（ソーシャルネットワーキングサービス）内で、一部の会員にキャンペーン特典を配布するキャンペーンに関する。
【背景技術】
【０００２】
近時、人と人との繋がりを電子サービス化したＳＮＳがインターネット上でブームを巻き起こしている。たとえば次の非特許文献１、２としてＵＲＬを示した各ＳＮＳは、それぞれ全世界で億単位の会員を有する非常に大規模なものである。
【０００３】
ＳＮＳ内では、たとえばその会員が実社会の有名人あるいはタレントである等、種々の理由によって、特定の会員から発信された情報（発言）は、その内容に関わらず多数の会員に興味を持って受信され、その情報が口コミとなって更に拡散されるという現象が自然発生する。そのような大きな発言影響力を有する会員（インフルエンサー）を対象としたキャンペーンの方法が提案されている。
【０００４】
たとえば特許文献１には、ＷＯＭ（口コミ）を作り出すためのマーケティングメッセージの有効性を予測するために、インフルエンサー調査によってインフルエンサーからのフィードバックデータを使用するシステムが開示されている。
【０００５】
また非特許文献３に示す企業のように、ＳＮＳ内のインフルエンサーをリアルタイムで抽出したり、キャンペーンのスポンサー企業とインフルエンサーとを結びつけるサービスを提供しているところもある。
【先行技術文献】
【特許文献】
【０００６】
【特許文献１】特開2012-048735号公報
【非特許文献】
【０００７】
【非特許文献１】http://www.twitter.com/
【非特許文献２】http://www.facebook.com/
【非特許文献３】http://overtex.com/
【発明の概要】
【発明が解決しようとする課題】
【０００８】
上記のようなサービスを利用することによって、ＳＮＳを利用した特典配布型のキャンペーンを行うことができる。しかしながら、その特典を受け取れない一般会員からは、そのキャンペーンに関する発言が余り期待できず、大規模な口コミを生じさせるのは難しいという問題があった。このような事情があるので、ＳＮＳ内で大規模な口コミを生じさせるには、多数のインフルエンサーを動員せざるを得ないが、そうするとインフルエンサーの選出も難しくなる。
【０００９】
そこで本発明は、インフルエンサーとそれ以外の一般会員との間でキャンペーンに関する相互発言を引き出すことによって大きな口コミを生じさせることができるキャンペーンの方法を提供することを目的とする。
【課題を解決するための手段】
【００１０】
本発明は、ＳＮＳ（ソーシャルネットワーキングサービス）内で、一部の会員にキャンペーン特典を配布するキャンペーンの方法において、キャンペーン用アプリケーション画面を表示して該画面へのアクセスを許容するステップと、ＳＮＳ会員のログインを受け付けて該ＳＮＳ会員が予め定めた資格条件を満たすか否かを判定するステップと、前記資格条件を満たすと判定されたＳＮＳ会員による同意操作を受け付けて、該ＳＮＳ会員を、対象者を指定した所定数の特典の配布が行える特典配布権利者に認定するステップと、ＳＮＳ会員のログインを受け付けて所定の基準に基づいて該ＳＮＳ会員が前記配布の対象者であるか否かを判定するステップと、前記配布の対象者であると判定されたＳＮＳ会員による所定操作を受け付けて、該ＳＮＳ会員に特典を発行するステップとを備える。
【００１１】
ここに、特典配布権利者が自己を対象者として指定して特典の配布を行ってもよい。また特典配布権利者の認定時には、そのＳＮＳ会員に対して特典が自動的に発行されてもよい。
【００１２】
前記資格条件は、ＳＮＳ会員の活動を監視して算出される評価値を基準として決定してもよい。
【００１３】
前記評価値は、ＳＮＳ会員の他のＳＮＳ会員に対する発言影響力を評価した値であってもよい。
【００１４】
前記特典配布権利者に対して、特典の発行を受けるために必要な鍵情報を発行し、前記特典配布権利者が、前記配布の対象者とすべきＳＮＳ会員に該鍵情報を通知することを許容してもよい。
【００１５】
特典の配布対象者リストを保存しており、前記特典配布権利者が、前記配布の対象者とすべきＳＮＳ会員を該配布対象者リストに登録することを許容してもよい。
【００１６】
前記配布の対象者であると判定されたＳＮＳ会員が、自らの特典取得についてＳＮＳ内で発言することを条件として、前記特典を発行してもよい。
【００１７】
前記資格条件を満たすと判定されたＳＮＳ会員が、自らの特典配布についてＳＮＳ内で発言することを条件として、前記特典配布権利者に認定してもよい。
【００１８】
前記資格条件を満たしている有資格者リストを表示し、前記資格条件を満たいていないＳＮＳ会員から、前記資格条件を満たしているＳＮＳ会員への特典おねだり発言を支援するステップを更に備えてもよい。
【００１９】
前記特典配布権利者に所定の報酬を発行するステップを更に備えてもよい。ここに報酬は、キャンペーンの特典そのものでもよいし、その特典とは別に発行されるものでもよい。
【００２０】
前記アプリケーション画面をＳＮＳの外部に生成し、該画面の閲覧者のログイン情報をＳＮＳと通信して取得してもよい。
【００２１】
また本発明は、ＳＮＳ内で、一部の会員にキャンペーン特典を配布するＳＮＳに提携したキャンペーン特典配布システムにおいて、特典配布権利者の資格条件を決定する条件設定部と、アプリケーション画面を表示して該画面のアクセスを許容するインタフェース部と、
ＳＮＳ会員のログインを受け付けて該ＳＮＳ会員が予め定めた資格条件を満たすか否かを判定し、前記資格条件を満たすと判定されたＳＮＳ会員による同意操作を受け付けて、該ＳＮＳ会員を、対象者を指定した所定数の特典の配布が行える特典配布権利者に認定する特典配布権利者認定部と、ＳＮＳ会員のログインを受け付けて所定基準に基づいて該ＮＳ会員が前記配布の対象者であるか否かを判定し、前記配布の対象者であると判定されたＳＮＳ会員による所定操作を受け付けて、該ＳＮＳ会員に特典を発行する特典発行部とを備える。
【００２２】
前記資格条件を満たしている有資格者リストを表示し、前記資格条件を満たいていないＳＮＳ会員から、前記資格条件を満たしているＳＮＳ会員への特典おねだり発言を支援するおねだり発言支援部を更に備えてもよい。
【００２３】
また本発明は、ＳＮＳと通信するウェブサーバ装置において、特典配布システムを稼働させるためのプログラムが蓄積されていることを特徴とする。
【発明の効果】
【００２４】
本発明によれば、特典配布権利者の資格条件を満たさない一般ＳＮＳ会員が特典を得るには、特典配布権利者に対して、特典を配布して欲しい旨を発言（おねだり）する等して、特典配布権利者から特典の配布を受ける必要がある。このようなおねだり発言は、ＳＮＳ内で口コミを生じさせる起源の一つになる。
【００２５】
特典取得についてＳＮＳ内で発言することを条件として、該ＳＮＳ会員に特典を発行する構成では、その発言も口コミを生じさせる起源の一つになる。
【００２６】
特典配布についてＳＮＳ内で発言することを条件として、該ＳＮＳ会員を特典配布権利者に認定する構成では、その発言も口コミを生じさせる起源の一つになる。
【００２７】
本発明では、このように、特典配布権利者（その資格条件を満たすＳＮＳ会員）と、一般のＳＮＳ会員との間で、キャンペーンに関する多数の発言を引き出すことによって、口コミが途切れないように拡大させていく。またこの口コミによって、キャンペーンのスポンサー企業の知名度やブランドが向上することが期待できる。
【００２８】
特にインフルエンサーのみが特典配布権利者となれる構成では、その者の発言が、多数のＳＮＳ会員に伝達されるので、効果的に口コミを生じさせることができる。
【００２９】
アプリケーション画面の閲覧者のログイン情報をＳＮＳと通信して取得する構成では、閲覧者がわざわざＩＤやパスワードを入力しなくてもよいので、この画面を閲覧するための心理的ハードルを下げることができる。
【図面の簡単な説明】
【００３０】
【図１】本発明によるキャンペーン特典配布方法の基本手順の例を示すフロー図である。
【図２】本発明によるキャンペーン特典配布システムの基本的な機能ブロック図である。
【図３】アプリケーション画面を構成する告知ページの一例を示す図である。
【図４】アプリケーション画面を構成する資格条件確認ページ一例を示す図である。
【図５】アプリケーション画面を構成する特典配布権利者認定ページの一例を示す図である。
【図６】アプリケーション画面を構成する特典発行ページの一例を示す図である。
【図７】アプリケーション画面を構成するおねだり発言支援ページの一例を示す図である。
【発明を実施するための形態】
【００３１】
本発明に係るキャンペーンは、多数の会員を有するＳＮＳに提携し、一部のＳＮＳ会員にスポンサー企業等が提供する特典を配布する特典配布型のキャンペーンである。対象とするＳＮＳの代表例としては、たとえばＴｗｉｔｔｅｒ．ｃｏｍ（登録商標）やＦａｃｅｂｏｏｋ．ｃｏｍ（登録商標）等がある。このようなＳＮＳでは、会員間の交流関係が少なくともその一方の操作によって設定され、その交流関係が設定された会員間で簡単に情報伝達ができるようになっている。
【００３２】
図１は、本発明によるキャンペーン特典配布方法の基本手順の一例を示すフロー図である。
基本手順は、キャンペーン用のアプリケーションによって実行されるが、まずアプリケーション画面を表示して該画面へのアクセスを許容するステップ（１００）と、特典配布権利者の認定を受ける、あるいは特典発行を受ける等のメニューを選択させるステップ（１０１）とで開始される。
【００３３】
基本手順は、メニュー選択に対応した第１の処理、すなわち特典配布権利者の認定処理として、ＳＮＳ会員のログインを受け付けて（１０２）、そのＳＮＳ会員が予め定めた資格条件を満たすか否かを判定するステップ（１０３）と、資格条件を満たすと判定されたＳＮＳ会員による同意操作を受け付けて（１０４）、そのＳＮＳ会員を、対象者を指定した所定数の特典の配布が行える特典配布権利者に認定するステップ（１０５）とを備える。その後、特典配布権利者は、他のＳＮＳ会員と対話する等によって特典配布対象者とすべきＳＮＳ会員を自ら決定して、そのＳＮＳ会員に特典を配布する（１０６）。ただし、特典配布対象者の決定や、配布方法については特典配権利者に任せて、この基本手順は関与しなくてもよい。
【００３４】
またメニュー選択に対応した第２の処理、すなわち特典の発行処理として、ＳＮＳ会員のログインを受け付けて（１０７）、所定の基準に基づいてそのＳＮＳ会員が特典配布の対象者であるか否かを判定するステップ（１０８）と、配布の対象者であると判定されたＳＮＳ会員による所定操作を受け付けて（１０９）、そのＳＮＳ会員に特典を発行するステップ（１１０）とを備える。
【００３５】
またメニュー選択に対応した第３の処理、すなわちおねだり発言の支援処理として、アプリケーション画面の閲覧者が上記資格条件を有するか否かを判定通知したり（１１１）、特典配布権利者の資格条件を満たしている有資格者リストを表示し（１１２）、資格条件を満たいていないＳＮＳ会員から、資格条件を満たしているＳＮＳ会員への特典おねだり発言を支援するステップ（１１３）を更に備えてもよい。
【００３６】
更にメニュー選択に対応した他の処理として、また特典配布権利者に認定されたＳＮＳ会員のリストを更新保持しておき、ＳＮＳ会員のログインを受け付けて、そのＳＮＳ会員が特典配布権利者であるか否かを判断するステップと、特典配布権利者であると判断されたＳＮＳ会員による所定操作を受け付けて、上記鍵情報を発行する、あるいは任意のＳＮＳ会員を上記配布対象者リストに登録させるステップとを更に備えてもよい（以上不図示）。なおこれらのステップによらず、同様な結果を得るための処理を、上記の特典配布権利者を認定するステップ（１０２〜１０６）に含ませてもよい。たとえば、資格条件を満たすＳＮＳ会員を特典配布権利者に認定した時点で、そのＳＮＳ会員に対して複数のクーポンコードを即時に発行してもよい。この場合、特典配布権利者は、そのクーポンコードの１つ１つをＳＮＳ会員に配布することになる。
【００３７】
また基本手順は、特典配布権利者に所定の報酬を発行するステップ（不図示）を更に備えてもよい。報酬は、キャンペーンの特典であってもよいが、別のものであっても構わない。
【００３８】
キャンペーンの特典の内容に特段の制限はない。たとえば、（イ）不動産業者がスポンサー企業であれば、新規契約する賃貸物件の家賃を１か月分無料にする、（ロ）ＳＮＳゲームサイトがスポンサー企業であれば、ゲーム用のレアアイテムを提供する、（ハ）ＣＤ・ＤＶＤレンタル店がスポンサー企業であれば、○○月○○日まで並ばず待ち時間ゼロでレンタルできる、（二）ネットショップがスポンサー企業であれば、ギフト券１０００円分を１００円で購入できる、等が考えられる。また特典は何らかの商品の割引購入であってもよく、具体的には、ネットショップ等の一般公開されていない特設決済ページへのアクセス権としてもよい。
【００３９】
アプリケーション画面は、ＳＮＳに組み込まれ、ＳＮＳ会員のＳＮＳホームページに表示されるものであっても、ＳＮＳから独立したものであってもよい。
【００４０】
アプリケーション画面は具体的にはユーザインタフェースであり、配布される特典の内容等を告知するキャンペーン告知ページ、資格条件確認ページ、特典配布権利者認定ページ、特典発行ページ等で構成される（図３〜図６参照）。特典配布権利者認定ページ、特典発行ページ等の本人確認が必要なページ以外では、その閲覧者にログインを要求しないことが望ましい。ログインを最小限とすることによって、アプリケーション画面を閲覧するための心理的ハードルを下げることができる。なお特典配布権利者が特典を他のＳＮＳ会員に配布するための特典配布ページを設けてもよい。
【００４１】
またＳＮＳは、そのログイン機能をＳＮＳの外部から利用するためのＡＰＩを公開している場合があるので、アプリケーション画面の閲覧者のログイン情報をＳＮＳと通信して取得する構成も可能である。そうすれば、閲覧者がわざわざアプリケーション画面でＳＮＳのＩＤやパスワードを入力しなくてもよくなる。
【００４２】
本発明では、その特徴として、特典を受け取ることができる資格条件を予め設定しているので、その資格条件を満たさない一般ＳＮＳ会員は基本的に特典を受けることはできない。しかしながらそのような一般ＳＮＳ会員でも、資格条件を満たすＳＮＳ会員にアプローチして、その資格条件を満たすＳＮＳ会員を通じることによって、特典を受けることができる。逆に云えば、資格条件を満たすＳＮＳ会員は、自分の意志で、所定数のＳＮＳ会員に特典を配布できる特典配布権利者になることができる。特典の配布方法には特段の制限はない。また配布対象者とすべきＳＮＳ会員に自らを含めてもよい。なおＳＮＳ会員が特典配布権利者に認定された時点で、そのＳＮＳ会員には特典を自動的に発行する構成としてもよい。
【００４３】
特典配布権利者の資格条件は特に制限されず、どのような基準であってもよい。たとえばＳＮＳ会員の活動を監視して算出される評価値に対する閾値として決定してもよい。
【００４４】
この評価値は、ＳＮＳ会員の他のＳＮＳ会員に対する発言影響力の評価値であってもよい（インフルエンサー）。これを実現するために既存の情報サービスを利用してもよい。たとえば日本国内では、（株）Ｏｖｅｒｔｅｘが、ＳＮＳ内における個々の会員の影響力をスコア付けするサービス「Ｑｕｒｓｔ（登録商標）」や、キャンペーンを実施する企業と、その企業のブランドにマッチングするインフルエンサーと結び付けるサービス「ソエンド（登録商標）」を展開しているので、これらを技術基盤として利用してもよい。
【００４５】
あるいは資格条件として、スポンサー企業のＳＭ動画を再生していること、スポンサー企業が提供しているアプリケーションプログラムをインストールしていること等を採用してもよい。
【００４６】
ＳＮＳ会員を特典配布権利者に認定する、あるいはＳＮＳ会員に対して特典を発行するための処理では、そのＳＮＳ会員がなりすまし等ではなく本人であることを確認する必要があるので、その処理の前にＳＮＳ会員のログインを課している（１０２、１０７）。
【００４７】
ＳＮＳ会員を特典配布権利者に認定する処理（１０２〜１０５）では、ログインしたＳＮＳ会員の資格条件を判定し、資格条件を満たすと判定されたＳＮＳ会員は、所定の操作、少なくとも同意操作（同意ボタンのクリック等）をすることによって、特典配布権利者に認定される。このとき、そのＳＮＳ会員に、自らによる特典配布についてＳＮＳ内で発言させてもよい。この場合は、アプリケーション画面中の特典配布権利者認定ページに、その発言の入力欄や送信ボタンを配置するとよい（図５参照）。ここから発信された発言はＳＮＳに向けて送信される。
【００４８】
ＳＮＳ会員によってそのような所定の操作がなされると、そのＳＮＳ会員は特典配布権利者に認定され、所定数のＳＮＳ会員について特典を配布できるようになる。配布対象者とすべきＳＮＳ会員は、特典配布権利者が独自に決定できる。
【００４９】
特典の配布方法に特段の制限はない。たとえば、特典の発行時に入力を求められる鍵情報を特典配布権利者に対して発行し、前記特典配布権利者が、特典の配布として、対象のＳＮＳ会員にその鍵情報を任意の方法で通知することを許容してもよい。鍵情報としては、特典発行ページを閲覧するための秘密ＵＲＬでもよいし、パスワードでもよい。
【００５０】
また特典の配布方法の別構成として、アプリケーションが特典配布対象者リストを保持しており、特典配布権利者が、特典の配布として、対象のＳＮＳ会員をその配布対象者リストに登録することを許容してもよい。
【００５１】
これに対して特典の発行する処理（１０７〜１１０）では、ＳＮＳ会員がログインしてから、まず所定の基準に基づいてそのＳＮＳ会員が特典配布の対象者であるか否かを判定する。上記の鍵情報として、秘密ＵＲＬを採用した構成であれば、ＳＮＳ会員がそのＵＲＬをブラウザのアドレス欄に入力したという事実から、そのＳＮＳ会員が特典配布の対象であると判断できる。また鍵情報がパスワードであれば、特典発行ページにパスワード入力欄を設けて、そこに入力されたパスワードをチェックすることにより、そのＳＮＳ会員が特典配布の対象であるか否かを判断できる。
【００５２】
一方、配布対象者リストを用いる構成では、ＳＮＳ会員がログインしたあと、そのＳＮＳ会員が配布対象者リストに登録されているか否かを自動的に確認することができる。
【００５３】
このような方法で特典配布の対象者であると判断されたＳＮＳ会員が、たとえば特典発行ボタンを押すというような操作をすれば、そのＳＮＳ会員に対して特典が発行される。なお、鍵情報は特定回数限りしか使用できないようにする、あるいは配布対象者リストは、そこに記載されているＳＮＳ会員が特典を受けたか、まだ受けていないかの情報も記録する等して、同一のＳＮＳ会員が特典を複数回受けることを防止してもよい。
【００５４】
特典配布の対象者であると判定されたＳＮＳ会員に対して特典を発行する際には、その条件として、自らの特典取得についてＳＮＳ内で発言させるように構成するとよい。この場合、特典発行ページに発言の入力欄、送信ボタン等を配置しておくとよい（図６参照）。
【００５５】
特典の発行は、実質的には特典の行使であっても構わない。たとえば上記パスワードをクーポンコードそのものとし、かつここでいう特典発行ページをネットショップの特設決済ページとして構成すれば、パスワードの入力欄はそのままクーポンコード入力欄として機能する。
【００５６】
またアプリケーション画面の閲覧者に資格条件を満たしている有資格者リストを表示し、資格条件を満たいていないＳＮＳ会員から、資格条件を満たしているＳＮＳ会員への特典おねだり発言を支援する構成とした場合は、リストに記載されているＳＮＳ会員を選択して、そのＳＮＳ会員宛てに発言できるようにするとよい。それには、おねだり発言支援ページに設けた発言入力欄、送信ボタン等を配置しておけばよい（図７参照）。
【００５７】
これらの発言（１０４、１０９、１１３）はＳＮＳに送信され、ＳＮＳ会員の通常の発言と同様に処理される。すなわち発言者との交流関係を設定しているＳＮＳ会員に対して自動的に配信される。発言が配信される範囲は、発言者がインフルエンサーであれば相当広く、そうでなければそれほど広くないであろう。しかし、それらの発言の一つ一つが起源となって小さな口コミがいくつも生じれば、全体として非常に大きな口コミになリ得る。また口コミが広がるのと同時に、スポンサー企業の知名度やブランドが向上することも期待できる。
【００５８】
ついで本発明によるキャンペーン特典配布システムについて説明する。キャンペーン特典配布システムは、コンピュータプログラム等からなるソフトウェア的手段と、コンピュータやネットワーク装置等からなるハードウェア的手段とから構成されるが、機能的見地ではたとえば図２のようになる。
【００５９】
すなわち図２に示すように、システム１は、基本的な機能ブロックとして、ネットワーク通信を行う通信部１１と、特典配布権利者の資格条件を決定する条件設定部１２と、アプリケーション画面を表示してその画面のアクセスを許容するインタフェース部１３と、ＳＮＳ会員のログインを受け付けて、そのＳＮＳ会員が予め定めた資格条件を満たすか否かを判定し、更に、資格条件を満たすと判定されたＳＮＳ会員による同意操作を受け付けて、そのＳＮＳ会員を、対象者を指定した所定数の特典の配布が行える特典配布権利者に認定する特典配布権利者認定部１４と、ＳＮＳ会員のログインを受け付けて、所定基準に基づいてそのＳＮＳ会員が特典配布の対象者であるか否かを判定し、更に、配布の対象者であると判定されたＳＮＳ会員による所定操作を受け付けて、そのＳＮＳ会員に特典を発行する特典発行部１５とを備える。
【００６０】
また特典配布権利者に認定されたＳＮＳ会員のリストを更新保持し、ＳＮＳ会員のログインを受け付けて、そのリストに基づいて、そのＳＮＳ会員が特典配布権利者であるか否かを判断し、特典配布権利者であると判断されたＳＮＳ会員による所定操作を受け付けて、上記の鍵情報を発行する、あるいは任意のＳＮＳ会員を配布対象者リストに登録することを許容する特典配布部１６を備えてもよい。なお特典配布部１６は、特典配布権利者認定部１４に組み込んでもよい。
【００６１】
またシステム１は、特典配布権利者の資格条件を満たしている有資格者リストを表示し、資格条件を満たいていないＳＮＳ会員から、資格条件を満たしているＳＮＳ会員への特典おねだり発言を支援するおねだり発言支援部１７を更に備えてもよい。
【００６２】
また特典配布権利者に所定の報酬を発行する報酬発行部（不図示）を更に備えてもよい。
【００６３】
システム１に連携するＳＮＳ２１、ＳＮＳ会員の発言影響力等の評価値を算出する情報サービス２２はいずれもインターネット２３に接続されており、システム１は、ＳＮＳ２１や情報サービス２２と通信できる。またＳＮＳ会員の情報端末２４もインターネット２３に接続されている。
【００６４】
システム１は、インターネット２３上のウェブサーバ装置によって構成するとよい。このウェブサーバ装置には、システムを稼働させるためのＨＴＭＬ、ＸＭＬ、画像ファイル、データベース等からなるコンピュータプログラムが蓄積される。このときシステム１は、そのアプリケーション画面をＳＮＳ２１の外部に生成し、その画面の閲覧者のログイン情報を、通信部１１によってＳＮＳ２１と通信して取得してもよい。
【００６５】
ついでアプリケーション画面の具体例を説明する。
【００６６】
アプリケーション画面（図３〜図７）は、キャンペーンの告知ページ（メニュー画面）をトップページとして、そこに、資格条件確認ページ、特典配布権利者認定ページ、特典発行ページ等に移動するためのリンクボタンが配置されている。ただし特典発行ページが秘密ＵＲＬでのみアクセスできる場合は、特典発行ページへのリンクは不要である。
【００６７】
図３はアプリケーション画面を構成する告知ページの一例を示す。ここではキャンペーンの特典として、ホテルの無料宿泊券を想定している。
【００６８】
この告知ページ３１には、キャンペーンの告知、特典の内容説明、アプリケーション画面の他のページへ移動するためのリンクボタン３１ａが配置されている。
【００６９】
図４は、アプリケーション画面を構成する資格条件確認ページの一例を示す。この資格条件確認ページ３２は、説明文と、ＳＮＳのＩＤ入力欄３２ａと、評価値を確認するための操作ボタン３２ｂと、評価値表示欄３２ｃとが配置されている。ここでシステム１は、ＩＤ入力欄３２ａに入力されたＩＤを情報サービス２２に問い合わせて、対応したＳＮＳ会員の評価値を取得する。取得した評価値は、評価値表示欄３２ｃに表示される。なお資格条件は評価値に対する閾値として９００ポイントが予め設定されている。
【００７０】
図５は、アプリケーション画面を構成する特典配布権利者認定ページの一例を示す。この特典配布権利者認定ページ３３は、説明文と、発言入力欄３３ａと、送信ボタン３３ｂと、同意操作のための操作ボタン３３ｃと、複数のシリアルコード表示欄３３ｄとが配置されている。システム１は、この認定の前に、ＳＮＳ会員をＳＮＳ２１にログインすることを要求して、そのログイン情報をＳＮＳ２１から取得する（説明文参照）。発言入力欄３３ａは、このＳＮＳ会員が自らによる特典配布について発言することを想定したものである。たとえば、「○○の割引クーポンが欲しい人はいますか？」等が想定される。このような発言を行うことが特典配布権利者になるための条件になっている。システム１は、特典配布権利者に認定したＳＮＳ会員に対して、配布対象者に配布すべき鍵情報として５つのパスワード（シリアルコード）をこのページで即時に発行する。
【００７１】
図６は、アプリケーション画面を構成する特典発行ページの一例を示す。この特典発行ページ３４は、パスワードの入力欄３４ａと、確認ボタン３４ｂと、発言入力欄３４ｃと、送信ボタン３４ｄと、特典発行ボタン３４ｅとが配置されている。システム１は、特典発行の前に、ＳＮＳ会員をＳＮＳ２１にログインすることを要求して、そのログイン情報をＳＮＳ２１から取得する（説明文参照）。発言入力欄３４ｃは、このＳＮＳ会員が自らの特典取得について発言することを想定したものである。たとえば、「○○の割引クーポンをゲットしました！」等が想定される。このような発言をすることが特典を受け取るための条件になっている。特典発行ボタン３４ｅが操作されると、特典つまり無料宿泊券の印刷イメージが別画面としてポップアップする（不図示）。その印刷イメージには、パスワードつまりシリアルコードをバーコード等にして含めるとよい。そうすれば、ホテル側で同一のパスワードを持った無償宿泊券の複数回利用を阻止できるので、セキュリティが向上する。
【００７２】
図７は、アプリケーション画面を構成するおねだり発言支援ページの一例を示す。このおねだり発言支援ページ３５は、ＳＮＳのＩＤ入力欄３５ａと、特典配布権利者のための資格条件を満たしているＳＮＳ会員を検索するための検索ボタン３５ｂと、資格条件を満たしている有資格者リストの表示欄３５ｃと、発言入力欄３５ｄと、送信ボタン３５ｅとが配置されている。システム１は、情報システム２２と適宜通信することによって、ＳＮＳの会員の交流関係や、有資格者のリストをデータベースとして保持更新しており、ＩＤ入力欄３５ａに入力されたＩＤに対応するＳＮＳ会員との間で交流関係があり、かつ資格条件を満たしているＳＮＳ会員のＩＤを検索して表示欄３５ｃに表示する。そこで表示欄３５ｃに表示されたＳＮＳ会員のＩＤを一つ選択して、そのＳＮＳ会員に対しておねだり発言を送信することができる。発言入力欄３５ｄに入力された発言が、事前に選択されたＳＮＳ会員宛てに送信される。なおおねだり発言の例としては、「△△さん、○○の割引クーポンをぼくにも譲ってください！」等が想定される。
【符号の説明】
【００７３】
１    キャンペーン特典配布システム（ウェブサーバ装置）
１２  インタフェース部
１３  条件設定部
１４  特典配布権利者認定部
１５  特典発行部
１７  おねだり発言支援部
１００〜１１３  キャンペーン特典配布方法を構成する各ステップ
【図１】
2014038547.tif 000003
【図２】
2014038547.tif 000004
【図３】
2014038547.tif 000005
【図４】
2014038547.tif 000006
【図５】
2014038547.tif 000007
【図６】
2014038547.tif 000008
【図７】
2014038547.tif 000009